(57)【要約】【課題】ユーザ端末からサーバに位置情報を送信することにより、サーバにより検索され地図上に合成された近辺の喫煙禁止区域情報等を取得する。【解決手段】ユーザ端末１０が情報提供サーバ２０に位置情報とタバコ銘柄情報を送信し、ユーザ端末１０から受信した位置情報から所定距離内であり、かつ、現在時刻が喫煙禁止時間帯内である喫煙禁止区域情報と、前記位置情報から所定距離内の喫煙所情報と、前記位置情報から所定距離内に存在し前記銘柄情報のタバコを販売している販売所情報とを情報提供サーバ２０がそれぞれ検索，取得し、情報提供サーバ２０が前記位置情報から所定距離内の地図情報を抽出し前記喫煙禁止区域情報，喫煙所情報，販売所情報を地図上に合成してユーザ端末１０に送信する。【選択図】      図１
2007310529.tif 000002
【特許請求の範囲】
【請求項１】
ネットワークを介して接続されるユーザ端末と情報提供サーバとを備えた喫煙関連情報提供システムであって、
前記ユーザ端末は、前記情報提供サーバに位置情報を送信する手段と、前記情報提供サーバから受信した地図を表示する手段とを有し、
前記情報提供サーバは、前記ユーザ端末から受信した位置情報から所定距離内の喫煙禁止区域情報，喫煙所情報を検索，取得する手段と、前記位置情報から所定距離内の地図情報を抽出し前記喫煙禁止区域情報，喫煙所情報を地図上に合成して前記ユーザ端末に送信する手段とを有することを特徴とする喫煙関連情報提供システム。
【請求項２】
ネットワークを介して接続されるユーザ端末と情報提供サーバとを備えた喫煙関連情報提供システムであって、
前記ユーザ端末は、前記情報提供サーバに位置情報を送信する手段と、前記情報提供サーバから受信した地図を表示する手段とを有し、
前記情報提供サーバは、前記ユーザ端末から受信した位置情報から所定距離内であり、かつ、現在時刻が喫煙禁止時間帯内である喫煙禁止区域情報を検索，取得する手段と、前記位置情報から所定距離内の喫煙所情報を検索，取得する手段と、前記位置情報から所定距離内の地図情報を抽出し前記喫煙禁止区域情報，喫煙所情報を地図上に合成して前記ユーザ端末に送信する手段とを有することを特徴とする喫煙関連情報提供システム。
【請求項３】
前記ユーザ端末は、位置情報送信時にユーザから入力されたタバコ銘柄情報を併せて前記情報提供サーバに送信する手段をさらに有し、前記情報提供サーバは、前記ユーザ端末から受信した位置情報から所定距離内に存在し該当タバコ銘柄を販売している販売所情報を検索，取得する手段と、前記販売所情報を前記地図上に合成して前記ユーザ端末に送信する手段とをさらに有することを特徴とする請求項１または２記載の喫煙関連情報提供システム。
【請求項４】
前記ユーザ端末の位置情報を送信する手段は、ユーザにより入力された位置情報を送信する第１のボタンと、現在地の位置情報を取得要求する第２のボタンとを画面表示し、前記第１のボタン押下時にはユーザにより入力された位置情報を前記情報提供サーバに送信し、前記第２のボタン押下時には自端末に備えられた位置情報取得機能により位置情報を取得して前記情報提供サーバに送信することを特徴とする請求項１，２または３記載の喫煙関連情報提供システム。
【請求項５】
ネットワークを介して接続されるユーザ端末と情報提供サーバとを備えた喫煙関連情報提供システムであって、
前記ユーザ端末は、定期的に位置情報を取得し前記情報提供サーバに送信する手段と、前記情報提供サーバから受信したメールが喫煙禁止通知メールであるかを判定する手段と、喫煙禁止通知メールであった場合に予め登録された音，音声やバイブレーションを出力する手段とを有し、
前記情報提供サーバは、前記ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に喫煙禁止通知メールを生成して前記ユーザ端末に送信する手段とを有することを特徴とする喫煙関連情報提供システム。
【請求項６】
ネットワークを介して接続されるユーザ端末と情報提供サーバとを備えた喫煙関連情報提供システムであって、
前記ユーザ端末は、定期的に位置情報を取得し自端末の電話番号とともに前記情報提供サーバに送信する手段と、前記情報提供サーバからの電話着信に応答し音声を受信する手段とを有し、
前記情報提供サーバは、前記ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に前記ユーザ端末に電話をかけ予め登録された音声情報を送信する手段とを有することを特徴とする喫煙関連情報提供システム。
【請求項７】
ユーザ端末から受信した位置情報から所定距離内の喫煙禁止区域情報，喫煙所情報を検索，取得する手段と、前記位置情報から所定距離内の地図情報を抽出し前記喫煙禁止区域情報，喫煙所情報を地図上に合成して前記ユーザ端末に送信する手段とを有することを特徴とする情報提供サーバ。
【請求項８】
ユーザ端末から受信した位置情報から所定距離内であり、かつ、現在時刻が喫煙禁止時間帯内である喫煙禁止区域情報を検索，取得する手段と、前記位置情報から所定距離内の喫煙所情報を検索，取得する手段と、前記位置情報から所定距離内の地図情報を抽出し前記喫煙禁止区域情報，喫煙所情報を地図上に合成して前記ユーザ端末に送信する手段とを有することを特徴とする情報提供サーバ。
【請求項９】
ユーザ端末から受信した位置情報から所定距離内であり、かつ、現在時刻が喫煙禁止時間帯内である喫煙禁止区域情報を検索，取得する手段と、前記位置情報から所定距離内の喫煙所情報を検索，取得する手段と、前記位置情報から所定距離内に存在するとともに、前記ユーザ端末から受信したタバコ銘柄を販売している販売所情報を検索，取得する手段と、前記位置情報から所定距離内の地図情報を抽出し前記喫煙禁止区域情報，喫煙所情報，販売所情報を地図上に合成して前記ユーザ端末に送信する手段とを有することを特徴とする情報提供サーバ。
【請求項１０】
ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に喫煙禁止通知メールを生成して前記ユーザ端末に送信する手段とを有することを特徴とする情報提供サーバ。
【請求項１１】
ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に前記ユーザ端末に電話をかけ予め登録された音声情報を送信する手段とを有することを特徴とする情報提供サーバ。
【請求項１２】
ユーザ端末が情報提供サーバに位置情報を送信するステップと、前記ユーザ端末から受信した位置情報から所定距離内であり、かつ、現在時刻が喫煙禁止時間帯内である喫煙禁止区域情報を前記情報提供サーバが検索，取得するステップと、前記情報提供サーバが前記位置情報から所定距離内の喫煙所情報を検索，取得するステップと、前記情報提供サーバが前記位置情報から所定距離内の地図情報を抽出し前記喫煙禁止区域情報，喫煙所情報を地図上に合成して前記ユーザ端末に送信するステップとを有することを特徴とする喫煙関連情報提供方法。
【請求項１３】
ユーザ端末が情報提供サーバに位置情報とタバコ銘柄情報を送信するステップと、前記ユーザ端末から受信した位置情報から所定距離内であり、かつ、現在時刻が喫煙禁止時間帯内である喫煙禁止区域情報を前記情報提供サーバが検索，取得するステップと、前記情報提供サーバが前記位置情報から所定距離内の喫煙所情報を検索，取得するステップと、前記情報提供サーバが前記位置情報から所定距離内に存在し前記銘柄情報のタバコを販売している販売所情報を検索，取得するステップと、前記情報提供サーバが前記位置情報から所定距離内の地図情報を抽出し前記喫煙禁止区域情報，喫煙所情報，販売所情報を地図上に合成して前記ユーザ端末に送信するステップとを有することを特徴とする喫煙関連情報提供方法。
【請求項１４】
ユーザ端末が定期的に位置情報を取得し情報提供サーバに送信するステップと、前記ユーザ端末から受信した位置情報が喫煙禁止区域であるかを前記情報提供サーバが照合するステップと、喫煙禁止区域であった場合に現在時刻が喫煙禁止時間帯内であるかを前記情報提供サーバが照合するステップと、喫煙禁止区域であり、かつ、現在時刻が喫煙禁止時間帯内であった場合に前記情報提供サーバが喫煙禁止通知メールを生成して前記ユーザ端末に送信するステップと、前記情報提供サーバから受信したメールが喫煙禁止通知メールであるかを前記ユーザ端末が判定するステップと、喫煙禁止通知メールであった場合に前記ユーザ端末が予め登録された音，音声やバイブレーションを出力するステップとを有することを特徴とする喫煙関連情報提供方法。
【請求項１５】
ユーザ端末が定期的に位置情報を取得し自端末の電話番号とともに情報提供サーバに送信するステップと、前記ユーザ端末から受信した位置情報が喫煙禁止区域であるかを前記情報提供サーバが照合するステップと、喫煙禁止区域であった場合に現在時刻が喫煙禁止時間帯内であるかを前記情報提供サーバが照合するステップと、喫煙禁止区域であり、かつ、現在時刻が喫煙禁止時間帯内であった場合に前記情報提供サーバが前記ユーザ端末に電話をかけ予め登録された音声情報を送信するステップとを有することを特徴とする喫煙関連情報提供方法。
【請求項１６】
外部装置から受信した位置情報から所定距離内であり、かつ、現在時刻が喫煙禁止時間帯内である喫煙禁止区域情報を検索，取得する機能、前記位置情報から所定距離内の喫煙所情報を検索，取得する機能、前記位置情報から所定距離内の地図情報を抽出し前記喫煙禁止区域情報，喫煙所情報を地図上に合成して前記外部装置に送信する機能、をコンピュータに実現させるためのプログラム。
【請求項１７】
外部装置から受信した位置情報から所定距離内であり、かつ、現在時刻が喫煙禁止時間帯内である喫煙禁止区域情報を検索，取得する機能、前記位置情報から所定距離内の喫煙所情報を検索，取得する機能、前記位置情報から所定距離内に存在するとともに、前記外部装置から受信したタバコ銘柄を販売している販売所情報を検索，取得する機能、前記位置情報から所定距離内の地図情報を抽出し前記喫煙禁止区域情報，喫煙所情報，販売所情報を地図上に合成して前記外部装置に送信する機能、をコンピュータに実現させるためのプログラム。
【請求項１８】
外部装置から受信した位置情報が喫煙禁止区域であるかを照合する機能、喫煙禁止区域であった場合に現在時刻が喫煙禁止時間帯内であるかを照合する機能、喫煙禁止区域であり、かつ、現在時刻が喫煙禁止時間帯内であった場合に喫煙禁止通知メールを生成して前記外部装置に送信する機能、をコンピュータに実現させるためのプログラム。
【請求項１９】
外部装置から受信した位置情報が喫煙禁止区域であるかを照合する機能、喫煙禁止区域であった場合に現在時刻が喫煙禁止時間帯内であるかを照合する機能、喫煙禁止区域であり、かつ、現在時刻が喫煙禁止時間帯内であった場合に前記外部装置に電話をかけ予め登録された音声情報を送信する機能、をコンピュータに実現させるためのプログラム。
【発明の詳細な説明】
【技術分野】
【０００１】
本発明は、喫煙禁止区域，喫煙所，タバコ販売所等の喫煙関連情報をユーザに提供する喫煙関連情報提供システム，情報提供サーバ，喫煙関連情報提供方法およびプログラムに関する。
【背景技術】
【０００２】
近年、各地方自治体の条例による喫煙禁止区域の制定に代表されるように喫煙禁止の場所が増えてきており、喫煙者にとっては喫煙禁止区域でないことを確認して喫煙する必要性が生じている。この確認のために、従来、喫煙禁止区域や喫煙所の案内表示が街頭の標識等により行われているが、表示が見難い場所にあったり、ユーザが見落としたり、といったことで徹底が難しい状況にある。
【０００３】
こういった状況において、喫煙禁止場所であることを喫煙者に報知するようにした例が、特開平８−１３８１５２号公報（特許文献１）に記載されている。この特許文献１においては、
・禁煙場所に設置された人検出器により人を検出すると、炎検出器を作動させ、
・炎検出器が炎を感知した場合に、音声出力装置により禁煙場所である旨の音声を出力して周囲の喫煙者に注意を促す、
ことが記載されている。
【０００４】
【特許文献１】特開平８−１３８１５２号公報（段落「００２１」〜「００２３」、図２）
【発明の開示】
【発明が解決しようとする課題】
【０００５】
上述した特許文献１においては、喫煙禁止場所毎に人検出器，炎検出器や音声出力装置を設置する必要があるため、装置の設置や保守等に費用や手間がかかるとともに、ユーザがタバコに火をつけた後でないと検出，報知できないという問題がある。
【０００６】
また、特許文献１においては、喫煙禁止場所の報知は行っているものの、喫煙所やタバコの販売場所等の報知に関しては何ら触れられていない。特に、タバコは喫煙者の嗜好に合わせて様々な銘柄のものが販売されており、外出先等の不慣れな土地で希望する銘柄を探すことは容易ではない。
【０００７】
本発明の目的は、以上の課題の少なくともいずれかを解決する喫煙関連情報提供システム，情報提供サーバ，喫煙関連情報提供方法およびプログラムを提供することにある。
【課題を解決するための手段】
【０００８】
本発明の第１の喫煙関連情報提供システムは、ネットワークを介して接続されるユーザ端末と情報提供サーバとを備えた喫煙関連情報提供システムであって、
前記ユーザ端末は、前記情報提供サーバに位置情報を送信する手段と、前記情報提供サーバから受信した地図を表示する手段とを有し、
前記情報提供サーバは、前記ユーザ端末から受信した位置情報から所定距離内の喫煙禁止区域情報，喫煙所情報を検索，取得する手段と、前記位置情報から所定距離内の地図情報を抽出し前記喫煙禁止区域情報，喫煙所情報を地図上に合成して前記ユーザ端末に送信する手段とを有する。
【０００９】
本発明の第２の喫煙関連情報提供システムは、ネットワークを介して接続されるユーザ端末と情報提供サーバとを備えた喫煙関連情報提供システムであって、
前記ユーザ端末は、前記情報提供サーバに位置情報を送信する手段と、前記情報提供サーバから受信した地図を表示する手段とを有し、
前記情報提供サーバは、前記ユーザ端末から受信した位置情報から所定距離内であり、かつ、現在時刻が喫煙禁止時間帯内である喫煙禁止区域情報を検索，取得する手段と、前記位置情報から所定距離内の喫煙所情報を検索，取得する手段と、前記位置情報から所定距離内の地図情報を抽出し前記喫煙禁止区域情報，喫煙所情報を地図上に合成して前記ユーザ端末に送信する手段とを有する。
【００１０】
本発明の第３の喫煙関連情報提供システムは、本発明の第１または第２の喫煙関連情報提供システムにおいて、前記ユーザ端末は、位置情報送信時にユーザから入力されたタバコ銘柄情報を併せて前記情報提供サーバに送信する手段をさらに有し、前記情報提供サーバは、前記ユーザ端末から受信した位置情報から所定距離内に存在し該当タバコ銘柄を販売している販売所情報を検索，取得する手段と、前記販売所情報を前記地図上に合成して前記ユーザ端末に送信する手段とをさらに有する。
【００１１】
本発明の第４の喫煙関連情報提供システムは、本発明の第１，第２または第３の喫煙関連情報提供システムにおいて、前記ユーザ端末の位置情報を送信する手段は、ユーザにより入力された位置情報を送信する第１のボタンと、現在地の位置情報を取得要求する第２のボタンとを画面表示し、前記第１のボタン押下時にはユーザにより入力された位置情報を前記情報提供サーバに送信し、前記第２のボタン押下時には自端末に備えられた位置情報取得機能により位置情報を取得して前記情報提供サーバに送信することを特徴とする。
【００１２】
本発明の第５の喫煙関連情報提供システムは、ネットワークを介して接続されるユーザ端末と情報提供サーバとを備えた喫煙関連情報提供システムであって、
前記ユーザ端末は、定期的に位置情報を取得し前記情報提供サーバに送信する手段と、前記情報提供サーバから受信したメールが喫煙禁止通知メールであるかを判定する手段と、喫煙禁止通知メールであった場合に予め登録された音，音声やバイブレーションを出力する手段とを有し、
前記情報提供サーバは、前記ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に喫煙禁止通知メールを生成して前記ユーザ端末に送信する手段とを有する。
【００１３】
本発明の第６の喫煙関連情報提供システムは、ネットワークを介して接続されるユーザ端末と情報提供サーバとを備えた喫煙関連情報提供システムであって、
前記ユーザ端末は、定期的に位置情報を取得し自端末の電話番号とともに前記情報提供サーバに送信する手段と、前記情報提供サーバからの電話着信に応答し音声を受信する手段とを有し、
前記情報提供サーバは、前記ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に前記ユーザ端末に電話をかけ予め登録された音声情報を送信する手段とを有する。
【００１４】
本発明の第１の情報提供サーバは、ユーザ端末から受信した位置情報から所定距離内の喫煙禁止区域情報，喫煙所情報を検索，取得する手段と、前記位置情報から所定距離内の地図情報を抽出し前記喫煙禁止区域情報，喫煙所情報を地図上に合成して前記ユーザ端末に送信する手段とを有する。
【００１５】
本発明の第２の情報提供サーバは、ユーザ端末から受信した位置情報から所定距離内であり、かつ、現在時刻が喫煙禁止時間帯内である喫煙禁止区域情報を検索，取得する手段と、前記位置情報から所定距離内の喫煙所情報を検索，取得する手段と、前記位置情報から所定距離内の地図情報を抽出し前記喫煙禁止区域情報，喫煙所情報を地図上に合成して前記ユーザ端末に送信する手段とを有する。
【００１６】
本発明の第３の情報提供サーバは、ユーザ端末から受信した位置情報から所定距離内であり、かつ、現在時刻が喫煙禁止時間帯内である喫煙禁止区域情報を検索，取得する手段と、前記位置情報から所定距離内の喫煙所情報を検索，取得する手段と、前記位置情報から所定距離内に存在するとともに、前記ユーザ端末から受信したタバコ銘柄を販売している販売所情報を検索，取得する手段と、前記位置情報から所定距離内の地図情報を抽出し前記喫煙禁止区域情報，喫煙所情報，販売所情報を地図上に合成して前記ユーザ端末に送信する手段とを有する。
【００１７】
本発明の第４の情報提供サーバは、ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に喫煙禁止通知メールを生成して前記ユーザ端末に送信する手段とを有する。
【００１８】
本発明の第５の情報提供サーバは、ユーザ端末から受信した位置情報が喫煙禁止区域であるかを照合する手段と、喫煙禁止区域であった場合に現在時刻が喫煙禁止時間帯内であるかを照合する手段と、喫煙禁止区域であり、かつ、現在時刻が喫煙禁止時間帯内であった場合に前記ユーザ端末に電話をかけ予め登録された音声情報を送信する手段とを有する。
【００１９】
本発明の第１の喫煙関連情報提供方法は、ユーザ端末が情報提供サーバに位置情報を送信するステップと、前記ユーザ端末から受信した位置情報から所定距離内であり、かつ、現在時刻が喫煙禁止時間帯内である喫煙禁止区域情報を前記情報提供サーバが検索，取得するステップと、前記情報提供サーバが前記位置情報から所定距離内の喫煙所情報を検索，取得するステップと、前記情報提供サーバが前記位置情報から所定距離内の地図情報を抽出し前記喫煙禁止区域情報，喫煙所情報を地図上に合成して前記ユーザ端末に送信するステップとを有する。
【００２０】
本発明の第２の喫煙関連情報提供方法は、ユーザ端末が情報提供サーバに位置情報とタバコ銘柄情報を送信するステップと、前記ユーザ端末から受信した位置情報から所定距離内であり、かつ、現在時刻が喫煙禁止時間帯内である喫煙禁止区域情報を前記情報提供サーバが検索，取得するステップと、前記情報提供サーバが前記位置情報から所定距離内の喫煙所情報を検索，取得するステップと、前記情報提供サーバが前記位置情報から所定距離内に存在し前記銘柄情報のタバコを販売している販売所情報を検索，取得するステップと、前記情報提供サーバが前記位置情報から所定距離内の地図情報を抽出し前記喫煙禁止区域情報，喫煙所情報，販売所情報を地図上に合成して前記ユーザ端末に送信するステップとを有する。
【００２１】
本発明の第３の喫煙関連情報提供方法は、ユーザ端末が定期的に位置情報を取得し情報提供サーバに送信するステップと、前記ユーザ端末から受信した位置情報が喫煙禁止区域であるかを前記情報提供サーバが照合するステップと、喫煙禁止区域であった場合に現在時刻が喫煙禁止時間帯内であるかを前記情報提供サーバが照合するステップと、喫煙禁止区域であり、かつ、現在時刻が喫煙禁止時間帯内であった場合に前記情報提供サーバが喫煙禁止通知メールを生成して前記ユーザ端末に送信するステップと、前記情報提供サーバから受信したメールが喫煙禁止通知メールであるかを前記ユーザ端末が判定するステップと、喫煙禁止通知メールであった場合に前記ユーザ端末が予め登録された音，音声やバイブレーションを出力するステップとを有する。
【００２２】
本発明の第４の喫煙関連情報提供方法は、ユーザ端末が定期的に位置情報を取得し自端末の電話番号とともに情報提供サーバに送信するステップと、前記ユーザ端末から受信した位置情報が喫煙禁止区域であるかを前記情報提供サーバが照合するステップと、喫煙禁止区域であった場合に現在時刻が喫煙禁止時間帯内であるかを前記情報提供サーバが照合するステップと、喫煙禁止区域であり、かつ、現在時刻が喫煙禁止時間帯内であった場合に前記情報提供サーバが前記ユーザ端末に電話をかけ予め登録された音声情報を送信するステップとを有する。
【００２３】
本発明の第１のプログラムは、外部装置から受信した位置情報から所定距離内であり、かつ、現在時刻が喫煙禁止時間帯内である喫煙禁止区域情報を検索，取得する機能、前記位置情報から所定距離内の喫煙所情報を検索，取得する機能、前記位置情報から所定距離内の地図情報を抽出し前記喫煙禁止区域情報，喫煙所情報を地図上に合成して前記外部装置に送信する機能、をコンピュータに実現させる。
【００２４】
本発明の第２のプログラムは、外部装置から受信した位置情報から所定距離内であり、かつ、現在時刻が喫煙禁止時間帯内である喫煙禁止区域情報を検索，取得する機能、前記位置情報から所定距離内の喫煙所情報を検索，取得する機能、前記位置情報から所定距離内に存在するとともに、前記外部装置から受信したタバコ銘柄を販売している販売所情報を検索，取得する機能、前記位置情報から所定距離内の地図情報を抽出し前記喫煙禁止区域情報，喫煙所情報，販売所情報を地図上に合成して前記外部装置に送信する機能、をコンピュータに実現させる。
【００２５】
本発明の第３のプログラムは、外部装置から受信した位置情報が喫煙禁止区域であるかを照合する機能、喫煙禁止区域であった場合に現在時刻が喫煙禁止時間帯内であるかを照合する機能、喫煙禁止区域であり、かつ、現在時刻が喫煙禁止時間帯内であった場合に喫煙禁止通知メールを生成して前記外部装置に送信する機能、をコンピュータに実現させる。
【００２６】
本発明の第４のプログラムは、外部装置から受信した位置情報が喫煙禁止区域であるかを照合する機能、喫煙禁止区域であった場合に現在時刻が喫煙禁止時間帯内であるかを照合する機能、喫煙禁止区域であり、かつ、現在時刻が喫煙禁止時間帯内であった場合に前記外部装置に電話をかけ予め登録された音声情報を送信する機能、をコンピュータに実現させる。
【発明の効果】
【００２７】
本発明においては、ユーザ端末から情報提供サーバに位置情報を送信し、情報提供サーバが位置情報を基に喫煙禁止区域情報を検索してユーザ端末に通知するため、任意の場所における喫煙の可否をユーザが容易に判断できるという効果が得られる。
【発明を実施するための最良の形態】
【００２８】
本発明の実施の形態について図面を参照して詳細に説明する。
【００２９】
図１は、本発明の一実施の形態の構成を示す図であり、ユーザ端末１０と、情報提供サーバ２０と、これらを相互に接続するインターネット等のネットワーク１００とを備えている。
【００３０】
ユーザ端末１０は、携帯電話機，ＰＨＳ(Personal Handyphone System)，ＰＤＡ(Personal Digital Assistance)等の携帯情報端末や、パーソナルコンピュータ等の情報処理装
置であり、プログラムにより動作を制御される。このユーザ端末１０は、ＧＰＳ(Global Positioning System)衛星からの信号を受信して現在地の位置情報を取得する機能と、情
報提供サーバ２０にアクセスし各種情報を入力，選択する機能と、受信情報を画面表示する機能とを備えている。
【００３１】
情報提供サーバ２０は、ワークステーション・サーバ等の情報処理装置であり、制御部２１と、記憶部２２とを備えている。制御部２１は、ＣＰＵ(Central Processing Unit)
等の制御装置であり、プログラムにより動作を制御される。この制御部２１は、
・ユーザ端末１０から受信した位置情報近辺の喫煙禁止区域，喫煙所を検索する機能、
・ユーザ端末１０から受信した位置情報およびタバコ銘柄情報を基に、受信した位置情報近辺で受信したタバコ銘柄を販売している販売所を検索する機能、
・受信した位置情報近辺の地図情報を抽出する機能、
・検索した喫煙禁止区域，喫煙所，タバコ販売所を地図上に表示し、ユーザ端末１０に送信する機能、
を備えている。
【００３２】
記憶部２２は、読み出し，書き込み可能な記憶装置であり、喫煙禁止区域情報データベース２２１と、喫煙所情報データベース２２２と、タバコ販売情報データベース２２３と、地図情報データベース２２４とを含んでいる。喫煙禁止区域情報データベース２２１には、図２（喫煙禁止区域情報データベース２２１に格納されるデータの一例を示す図）に示すように、喫煙禁止区域名，位置情報，禁止時間帯等が予め登録されている。ここで、喫煙禁止区域とは、各地方自治体が条例により定めた路上等の喫煙禁止区域や、各鉄道会社が定めた駅の喫煙禁止区域、各施設管理者が定めた喫煙禁止区域等を意味している。図２における喫煙禁止区域名は、例えば、ＸＸ通り，ＸＸ駅等であり、位置情報は喫煙禁止区域の緯度，経度情報であり、禁止時間帯は喫煙禁止の時間帯を意味し、終日喫煙禁止であれば終日、特定の時間帯だけ喫煙禁止であればその時間帯が登録される。喫煙所情報データベース２２２には、図３（喫煙所情報データベース２２２に格納されるデータの一例を示す図）に示すように、喫煙所名，位置情報，所在場所等が予め登録されている。喫煙所名とは灰皿や分煙装置等が用意された、ＸＸビル等の喫煙可能な施設名等のことであり、位置情報は喫煙所の緯度，経度情報であり、場所情報は１Ｆロビー等の詳細な場所を示す情報である。タバコ販売情報データベース２２３には、図４（タバコ販売情報データベース２２３に格納されるデータの一例を示す図）に示すように、販売所名，位置情報，販売銘柄／価格，営業時間帯等が予め登録されている。販売所名はタバコを販売している店舗名や自動販売機のことであり、位置情報は緯度，経度情報、販売銘柄／価格は販売しているタバコの銘柄と価格の情報、営業時間帯は販売所が営業している時間帯である。地図情報データベース２２４には、緯度，経度と関連付けられた全国の地域地図の情報が格納されている。
【００３３】
次に、本発明の一実施の形態の動作について図１〜図７を参照して説明する。なお、図５は本発明の一実施の形態の動作を示すフローチャートであり、図６は喫煙関連情報検索画面の一例を示す図、図７は喫煙関連情報検索結果画面の一例を示す図である。
【００３４】
図５を参照すると、まず、ユーザは情報提供サーバ２０から喫煙関連情報検索プログラムをユーザ端末１０に事前にダウンロードし、図示しない記憶部に格納しておく。ここで、喫煙関連情報とは、喫煙禁止区域，喫煙所，タバコ販売所等の喫煙に関連する情報のことである。また、喫煙関連情報検索プログラムには情報提供サーバ２０の通信アドレスが含まれている（ステップＡ１）。喫煙関連情報を検索したい場合、ユーザはユーザ端末１０の喫煙関連情報検索プログラムを起動する。この起動は、例えば、ユーザ端末１０の特定の機能キーを押下することで行うようにしてもよいし、メニュー画面上の喫煙関連情報検索メニューの選択により行うようにしてもよい（ステップＡ２）。ユーザにより喫煙関連情報検索プログラムが起動されると、ユーザ端末１０は喫煙関連情報検索画面を表示し（ステップＡ３）、ユーザは画面上でユーザの位置情報を入力する。タバコの銘柄を指定して販売所情報の検索を行う場合には、ユーザは希望するタバコの銘柄についても画面上で入力する。ここで、位置情報の入力について、より詳細に説明する。図６に示すように、位置情報の入力には二種類の方法がある。第１の方法は、ＸＸ公園，ＸＸ通り，ＸＸ駅のように道路名や施設名等を入力、または、郵便番号や住所等を入力する方法である。この方法においては、検索位置を自由に指定できるため、現在地に限定されず任意の場所を指定して検索することが可能である。第２の方法は、画面上の「現在地自動取得による検索」のボタンを押下する方法である。この「現在地自動取得による検索」のボタンがユーザにより押下された場合は、ユーザ端末１０はＧＰＳ機能により現在地の位置情報（緯度，経度）を取得する（ステップＡ４）。
【００３５】
次に、ユーザ端末１０は位置情報やタバコの銘柄情報を情報提供サーバ２０に送信する。このとき、ステップＡ４の第１の方法の場合は、ユーザが道路名や住所等の位置情報，タバコの銘柄情報を入力した後に画面上の「検索」ボタンを押下することにより、ユーザ端末１０は入力された情報を情報提供サーバ２０に送信する。また、ステップＡ４の第２の方法の場合は、ユーザがタバコの銘柄を入力した後に画面上の「現在地自動取得による検索」のボタンを押下することにより、ユーザ端末１０はＧＰＳ機能により現在地の位置情報を取得する。そして、ユーザ端末１０は取得した位置情報と入力されたタバコの銘柄情報を情報提供サーバ２０に送信する。なお、タバコの購入が不要な場合は、ユーザはタバコの銘柄を入力することなく、単に画面上の「現在地自動取得による検索」のボタンを押下する。この場合は、ユーザ端末１０はＧＰＳ機能により取得した位置情報のみを情報提供サーバ２０に送信することになる（ステップＡ５）。
【００３６】
情報提供サーバ２０の制御部２１は、ユーザ端末１０から送信された位置情報，タバコの銘柄情報を受信する（ステップＡ６）。そして、制御部２１は、受信した位置情報を基に喫煙禁止区域を検索，抽出する。詳細には、制御部２１は喫煙禁止区域情報データベース２２１（図２）を参照し、受信した位置情報（ユーザ現在地の緯度，経度）と喫煙禁止区域の位置情報（緯度，経度）とを照合する。そして、制御部２１はユーザ現在地から所定距離内（例えば、４００ｍ以内）にある喫煙禁止区域を抽出する。なお、受信した位置情報がＸＸ公園や住所等であった場合は、制御部２１は地図情報データベース２２４を参照して対応する緯度，経度情報を取得する。そして、制御部２１は取得した位置情報から所定距離内にある喫煙禁止区域を喫煙禁止区域情報データベース２２１から抽出する。次に、制御部２１は現在時刻を図示しない時計部から取得し、検索した喫煙禁止区域の内、現在時刻が禁止時間帯に相当する喫煙禁止区域を喫煙禁止区域情報データベース２２１から取得する（ステップＡ７）。
【００３７】
次に、制御部２１は、受信した位置情報を基に喫煙所を検索，抽出する。詳細には、制御部２１は喫煙所情報データベース２２２（図３）を参照し、受信した位置情報（ユーザ現在地の緯度，経度）と喫煙所の位置情報（緯度，経度）とを照合し、ユーザ現在地から所定距離内にある喫煙所を抽出する。受信した位置情報がＸＸ公園や住所等であった場合は、ステップＡ７と同様に、制御部２１は地図情報データベース２２４を参照して対応する緯度，経度情報を取得する（ステップＡ８）。
【００３８】
次に、タバコの銘柄情報がユーザ端末１０から送信されてきた場合は、制御部２１は、位置情報とタバコの銘柄情報とを基にタバコの販売所を検索，抽出する。詳細には、制御部２１はタバコ販売情報データベース２２３（図４）を参照し、受信した位置情報（ユーザ現在地の緯度，経度）とタバコ販売所の位置情報（緯度，経度）とを照合し、ユーザ現在地から所定距離内にあるタバコ販売所を抽出する。受信した位置情報がＸＸ公園や住所等であった場合は、ステップＡ７と同様に、制御部２１は地図情報データベース２２４を参照して対応する緯度，経度情報を取得する。そして、制御部２１は、抽出した販売所の内、ユーザが指定した銘柄のタバコを販売している販売所を、タバコ販売情報データベース２２３を参照して取得する。次に、制御部２１は現在時刻を図示しない時計部から取得し、取得した販売所の内、現在時刻が営業時間帯に相当する販売所をタバコ販売情報データベース２２３から取得する（ステップＡ９）。
【００３９】
次に、制御部２１は、ユーザ端末１０から受信した位置情報から所定距離（例えば、４００ｍ）の位置を含む地図情報を地図情報データベース２２４から取得する。そして、制御部２１は、ステップＡ７〜ステップＡ９で検索，抽出した喫煙関連情報（喫煙禁止区域，喫煙所，タバコ販売所）を地図上に合成する。制御部２１は、合成時に地図上にアイコンで喫煙禁止区域，喫煙所，販売所等を表示し（図７参照）、アイコンの上にカーソルをポイントすると詳細情報を表示するようにしておく。ここで、詳細情報とは、例えば、喫煙禁止区域であれば禁止区域名や禁止時間帯、喫煙所であれば喫煙所名や場所情報、タバコ販売所であれば販売所名や販売銘柄／価格，営業時間帯、等である。これらの詳細情報は、上述したように、喫煙禁止区域情報データベース２２１，喫煙所情報データベース２２２，タバコ販売情報データベース２２３に予め登録されている（ステップＡ１０）。ステップＡ１０における地図の合成が終了すると、制御部２１は合成された地図をユーザ端末１０に送信する（ステップＡ１１）。
【００４０】
ユーザ端末１０は、情報提供サーバ２０から喫煙関連情報（喫煙禁止区域，喫煙所，タバコ販売所）が合成された地図を受信し、画面上に表示する（ステップＡ１２）。ユーザは、表示された地図を参照することにより、現在地近辺の喫煙禁止区域，喫煙所や、ユーザ指定の銘柄のタバコを販売しているタバコ販売所を知ることができる。詳細な情報を知りたい場合は、ユーザが地図上のアイコンの上にカーソルをポイントすることにより、対応する喫煙禁止区域，喫煙所，タバコ販売所の詳細情報が表示される（ステップＡ１３）。
【００４１】
以上説明したように、本実施の形態においては、ユーザは位置情報をユーザ端末１０から情報提供サーバ２０に送信し、情報提供サーバ２０から受信した検索結果地図画面上で近辺の喫煙禁止区域や喫煙所情報を参照，確認している。このため、上述した特許文献１における喫煙禁止場所毎の各検出器や音声出力装置の設置を必要とすることなく、任意の場所における喫煙の可否をユーザが容易に判断できるとともに、最寄りの喫煙所も知ることができるという効果が得られる。
【００４２】
また、本実施の形態においては、ユーザが位置情報とともに希望するタバコの銘柄情報を情報提供サーバ２０に送信することで、情報提供サーバ２０から受信した検索結果地図画面上で該当銘柄のタバコを販売している販売所情報を参照，確認している。このため、ユーザは希望する銘柄のタバコが購入できる店舗等を、任意の場所において知ることができるという効果が得られる。この効果は、外出先等の不慣れな土地において特に顕著である。
【００４３】
次に、本発明の他の実施の形態について説明する。
【００４４】
上述した一実施の形態においては、ユーザはユーザ端末１０から情報提供サーバ２０にアクセスして位置情報を送信し、情報提供サーバ２０から受信した検索結果地図画面上で近辺の喫煙禁止区域情報を参照，確認している。本実施の形態が一実施の形態と異なる点は、ユーザが喫煙禁止区域に存在する場合に情報提供サーバ２０からユーザ端末１０にその旨を通知し、ユーザ端末１０が音声やバイブレーションによりユーザに警告するようにした点である。
【００４５】
本実施の形態の構成は、図１（一実施の形態の構成）において、
・ユーザ端末１０に、位置情報を定期的に取得しユーザＩＤとともに情報提供サーバ２０に送信する機能と、受信メールが喫煙禁止通知であるかを判別する機能と、喫煙禁止通知メールであった場合に、音や音声等によりユーザに通知する機能と、をさらに備え、
・情報提供サーバ２０に、電子メール生成，送信機能と、ユーザ情報データベースとをさらに備え、喫煙所情報データベース２２２，タバコ販売情報データベース２２３および地図情報データベース２２４を記憶部２２から削除した点、が異なっている。これにより、情報提供サーバ２０の記憶部２２には喫煙禁止区域情報データベース２２１とユーザ情報データベースが備えられることになる。ユーザ情報データベースには、図８（ユーザ情報データベースに格納されるデータの一例を示す図）に示すように、ユーザＩＤ（例えば、電話番号等），氏名，メールアドレス等が予め登録されている。
【００４６】
次に、本発明の他の実施の形態の動作について図１，図２，図８および図９を参照して説明する。なお、図９は、本発明の他の実施の形態の動作を示すフローチャートである。
【００４７】
図９を参照すると、まず、居場所や移動中の場所が喫煙禁止場所である場合に通知を受けたいユーザは、ユーザ端末１０の図示しない喫煙禁止通知プログラムを起動する。この起動は、例えば、ユーザ端末１０の特定の機能キーを押下することで行うようにしてもよいし、メニュー画面上の喫煙禁止通知メニューの選択により行うようにしてもよい。ユーザによりこの喫煙禁止通知プログラムが起動されると、ユーザ端末１０はユーザから喫煙禁止通知プログラムが解除されるまでＧＰＳによる位置情報を定期的に取得する。なお、位置情報取得の時間間隔についてはユーザが予め設定しておくものとする（ステップＢ１）。そして、ユーザ端末１０は取得した位置情報と図示しないメモリに格納されたユーザＩＤ（例えば、電話番号等）とを情報提供サーバ２０に送信する（ステップＢ２）。
【００４８】
情報提供サーバ２０の制御部２１は、ユーザ端末１０からユーザ位置情報とユーザＩＤを受信すると（ステップＢ３）、喫煙禁止区域情報データベース２２１に格納された喫煙禁止区域情報を参照する（ステップＢ４）。そして、制御部２１は受信した位置情報と喫煙禁止区域情報を照合することにより、ユーザが喫煙禁止区域内に存在しているかを判定する。詳細には、制御部２１は受信した位置情報が図２に示す喫煙禁止区域の位置情報に含まれていないかを照合し、含まれていた場合にユーザが喫煙禁止区域内に存在していると判定する。なお、喫煙禁止区域情報データベース２２１に喫煙禁止区域毎の禁止時間帯が登録されていた場合は、制御部２１は現在時刻が禁止時間帯内であるかをさらに照合し、禁止時間帯内であったときに喫煙禁止通知の対象と判定する（ステップＢ５）。制御部２１は、ステップＢ５において喫煙禁止通知の対象と判定した場合に喫煙禁止通知をユーザ端末１０に送信する。この喫煙禁止通知は、例えば、電子メールであり、ヘッダ，タイトルまたは本文中等に喫煙禁止通知であることを示す所定のキーワード等を含めた喫煙禁止通知メールフォーマットを図示しないメモリに格納しておく。電子メール宛先については、制御部２１は受信したユーザＩＤを基にユーザ情報データベースから対応するメールアドレスを取得する（ステップＢ６）。
【００４９】
ユーザ端末１０は受信した電子メールのヘッダ，タイトルまたは本文中に所定のキーワードがあるかを照合し、所定のキーワードがあった場合に喫煙禁止通知メールと判定する。そして、喫煙禁止通知メールを受信したユーザ端末１０は、音や音声によりユーザの現在地が喫煙禁止区域であることをユーザに通知する。なお、喫煙禁止であることを通知するための特定の音や、「この場所は喫煙禁止です」等の音声情報を、ユーザ端末１０の図示しないメモリに予め格納しておくものとする（ステップＢ７，Ｂ８）。
【００５０】
以上説明したように、本実施の形態においては、ユーザの位置情報を情報提供サーバ２０に逐次送信し、ユーザが喫煙禁止区域内に居る場合にその旨を音声等により通知している。これにより、ユーザはユーザ端末１０の画面を見なくても喫煙禁止区域に居ることを音や音声により知ることができるという効果が得られる。
【００５１】
次に、本発明の応用例，変形例等について説明する。
【００５２】
・上述した一実施の形態においては、ＧＰＳ機能を備えたユーザ端末１０を例にとって説明したが、ＧＰＳ機能を備えていないユーザ端末１０であっても本発明の一実施の形態を適用することは可能である。この場合、図６の喫煙関連情報検索画面において、「現在地自動取得による検索」ボタンは使用できず、検索位置指定欄に住所，道路名等をキー入力することになる。また、情報提供サーバ２０にＧＰＳ機能の有無に対応した喫煙関連情報検索プログラムを用意し、ＧＰＳ機能無しのユーザ端末１０に対しては「現在地自動取得による検索」ボタンを削除した検索画面としてもよい。
【００５３】
・上述した他の実施の形態においては、情報提供サーバ２０が喫煙禁止通知の対象と判定した場合に喫煙禁止通知メールをユーザ端末１０に送信するとして説明したが、電子メールの代わりに電話で通知するようにしてもよい。この場合は、情報提供サーバ２０の制御部２１はユーザＩＤとして受信した電話番号に電話をかけ、ユーザ端末１０の応答時に、情報提供サーバ２０に予め格納された「この場所は喫煙禁止です」等の所定の音声情報を送信することになる。
【００５４】
・上述した他の実施の形態においては、情報提供サーバ２０が喫煙禁止通知の対象と判定した場合に喫煙禁止通知メールをユーザ端末１０に送信し、ユーザ端末１０は音や音声によりユーザの現在地が喫煙禁止区域であることをユーザに通知するとして説明した。この音や音声に代わり、ユーザ端末１０のバイブレーションにより通知するようにしてもよい。この場合、喫煙禁止通知用のバイブレーションの回数や周期等をユーザ端末１０に予め登録しておくものとする。
【図面の簡単な説明】
【００５５】
【図１】本発明の一実施の形態の構成を示す図である。
【図２】喫煙禁止区域情報データベース２２１に格納されるデータの一例を示す図である。
【図３】喫煙所情報データベース２２２に格納されるデータの一例を示す図である。
【図４】タバコ販売情報データベース２２３に格納されるデータの一例を示す図である。
【図５】本発明の一実施の形態の動作を示すフローチャートである。
【図６】喫煙関連情報検索画面の一例を示す図である。
【図７】喫煙関連情報検索結果画面の一例を示す図である。
【図８】ユーザ情報データベースに格納されるデータの一例を示す図である。
【図９】本発明の他の実施の形態の動作を示すフローチャートである。
【符号の説明】
【００５６】
１０    ユーザ端末
２０    情報提供サーバ
２１    制御部
２２    記憶部
２２１    喫煙禁止区域情報データベース
２２２    喫煙所情報データベース
２２３    タバコ販売情報データベース
２２４    地図情報データベース
１００    ネットワーク
【図１】
2007310529.tif 000003
【図２】
2007310529.tif 000004
【図３】
2007310529.tif 000005
【図４】
2007310529.tif 000006
【図５】
2007310529.tif 000007
【図６】
2007310529.tif 000008
【図７】
2007310529.tif 000009
【図８】
2007310529.tif 000010
【図９】
2007310529.tif 000011